(57)【特許請求の範囲】
【請求項１】
部品保持用の第１および第２のスルーホールと、前記第１および第２のスルーホールの位置と直線上の位置に設けられた回路接続用の第３のスルーホール群とを有し、前記第１のスルーホールが前記第３のスルーホール群に近い側、前記第２のスルーホールが前記第３のスルーホール群から遠い側である回路基板上に実装される回路接続用部品であって、
前記第１のスルーホールに嵌合される第１のボスであり、前記第１のスルーホールの中心と前記第２のスルーホールの中心とを結ぶ方向の両側に突設され、前記第１のスルーホールの中心と前記第２のスルーホールの中心とを結ぶ方向の位置を規制する第１の突部を有する第１のボスと、
前記第２のスルーホールに嵌合される第２のボスであり、前記第１のスルーホールの中心と前記第２のスルーホールの中心とを結ぶ方向と９０°異なる方向の両側に突設され、前記第１のスルーホールの中心と前記第２のスルーホールの中心とを結ぶ方向と９０°異なる方向の位置を規制する第２の突部と、前記第２の突部と９０°異なる方向に設けられ、前記第２のスルーホールに係止される第２の係止部であり、前記第２のスルーホールへの挿入時には弾性変形して前記第２のスルーホール内を通過し、前記第２のスルーホールを通過後に復元する第２の係止部とを有する第２のボスと、
前記第３のスルーホール群に圧入嵌合される弾性接触端子群と
を含む回路接続用部品。
【請求項２】
前記第１のボスは、前記第１のスルーホールに係止される第１の係止部であり、前記第１のスルーホールへの挿入時には弾性変形して前記第１のスルーホール内を通過し、前記第１のスルーホールを通過後に復元する第１の係止部を、前記第１の突部と９０°異なる方向に有するものである請求項１記載の回路接続用部品。
【発明の詳細な説明】
【技術分野】
【０００１】
本発明は、回路基板上に実装される回路接続用部品に関する。
【背景技術】
【０００２】
コンデンサの大容量化やユニット統合などにより、ユニットサイズや搭載面積などを考慮した回路基板とコンデンサとの接続方法が検討されている。例えば特許文献１には、図９に示すように、ホルダー５０の回路基板と相対する面の一部に回路基板に実装される他の電子部品等を配置できる隙間を形成するための段差部５１を有し、この段差部５１の回路基板と接する部分にリード線５２と接続された一対のコンプライアントピン５３の接続固定部５４を設けるともに、一部をホルダー５０にインサート成型等で固定した一対のダミーの補助コンプライアントピン５５の固定部５６をさらに設けた電子部品が記載されている。
【０００３】
この構成では、電子部品が占有する回路基板上の面積が小さくて済み、ホルダー５０の直下のスペースに他の電子部品等を配置することができるため、効率的に部品のレイアウトをすることができ、また電子部品を回路基板に固定する箇所が増加し、より強固に固定されることで耐震性や耐衝撃性を高くすることができるとされている。
【０００４】
また、特許文献２には、図１０に示すように、コネクタハウジング６０の両端部に形成された取付フランジ６１から下方へ延びる２つの突起部６２を回路基板６５の２つのスルーホール６３に嵌合することによって回路基板６５上にコネクタハウジング６０を保持する構造において、２つのスルーホール６３の間隔の許容差を担保するために２つの突起部６２に対して互いに位相外れの９０°の位置にリブ６４を設けた構造が開示されている。
【先行技術文献】
【特許文献】
【０００５】
【特許文献１】特許第４８１６４１６号公報
【特許文献２】米国特許第６５５４６４３号明細書
【発明の概要】
【発明が解決しようとする課題】
【０００６】
上記特許文献１に記載の電子部品は、弾性変形により回路基板のスルーホールに圧入嵌合されるコンプライアントピン５３および補助コンプライアントピン５５のみによって回路基板へ実装されているため、振動の激しい使用環境下では、実装後も電子部品は回路基板上で振動することになり、コンプライアントピン５３の接触信頼性が問題となる。
【０００７】
そこで、電子部品が回路基板上で振動しないように固定することが求められるが、ここで上記特許文献２に記載のコネクタハウジングの保持構造を採用する場合、ホルダー５０の熱膨張によってコンプライアントピン５３に力が加わることが問題となる。すなわち、特許文献２に記載の保持構造では、２つの突起部６２のリブ６４が互いの位相外れの９０°の位置に設けられていることにより、一方の突起部６２を起点として他方の突起部６２の位置がスルーホール６３内でずれることになるため、この突起部６２の近くにコンプライアントピン５３がある場合、コンプライアントピン５３に力が加わり、コンプライアントピン５３を破損することになる。
【０００８】
そこで、本発明では、電子部品のホルダーなどの回路接続用部品において、熱膨張によりコンプライアント端子やプレスフィット端子などの弾性接触端子に力が加わることを防止し、かつ弾性接触端子の振動を防止した回路接続用部品を提供することを目的とする。
【課題を解決するための手段】
【０００９】
本発明の回路接続用部品は、部品保持用の第１および第２のスルーホールと、前記第１および第２のスルーホールの位置と直線上の位置に設けられた回路接続用の第３のスルーホール群とを有し、第１のスルーホールが第３のスルーホール群に近い側、第２のスルーホールが第３のスルーホール群から遠い側である回路基板上に実装される回路接続用部品であって、第１のスルーホールに嵌合される第１のボスであり、第１のスルーホールの中心と第２のスルーホールの中心とを結ぶ方向の両側に突設され、第１のスルーホールの中心と第２のスルーホールの中心とを結ぶ方向の位置を規制する第１の突部を有する第１のボスと、第２のスルーホールに嵌合される第２のボスであり、第１のスルーホールの中心と第２のスルーホールの中心とを結ぶ方向と９０°異なる方向の両側に突設され、第１のスルーホールの中心と第２のスルーホールの中心とを結ぶ方向と９０°異なる方向の位置を規制する第２の突部と、第２の突部と９０°異なる方向に設けられ、第２のスルーホールに係止される第２の係止部であり、第２のスルーホールへの挿入時には弾性変形して第２のスルーホール内を通過し、第２のスルーホールを通過後に復元する第２の係止部とを有する第２のボスと、第３のスルーホール群に圧入嵌合される弾性接触端子群とを含むものである。
【００１０】
本発明によれば、回路接続用の第３のスルーホールに近い側の第１のスルーホールに嵌合される第１のボスの第１の突部により第１のスルーホールの中心と第２のスルーホールの中心とを結ぶ方向の位置を規制することにより、回路接続用部品が熱膨張した際に第３のスルーホールに対応する位置の変化を少なくすることができる。また、回路接続用の第３のスルーホールから遠い側の第２のスルーホールに嵌合される第２のボスの第２の突部により第１のスルーホールの中心と第２のスルーホールの中心とを結ぶ方向と異なる方向の位置が規制、すなわち第１のボスの第１の突部により位置が規制される方向と異なる方向の位置が規制されることにより、回路接続用部品の位置決めを行うことができる。
【００１１】
特に、第２の突部は、第１の突部と９０°異なる方向に形成されたものであることにより、第１のボスの第１の突部により規制される方向と９０°異なる方向の位置が第２のボスの第２の突部により規制され、第１および第２のボス周りの全方向に対して均一に位置決めを行うことができる。
【００１２】
また、第１のボスは、第１のスルーホールに係止される第１の係止部であり、第１のスルーホールへの挿入時には弾性変形して第１のスルーホール内を通過し、第１のスルーホールを通過後に復元する第１の係止部を、第１の突部と９０°異なる方向に有するものであることが望ましい。これにより、第1のボスに位置規制機能に加えて第１のスルーホールからの抜け止め機能を兼ねさせることが可能となる。
【００１３】
また、第２のボスは、第２のスルーホールに係止される第２の係止部であり、第２のスルーホールへの挿入時には弾性変形して第２のスルーホール内を通過し、第２のスルーホールを通過後に復元する第２の係止部を、第２の突部と９０°異なる方向に有するものであることにより、第２のボスに位置規制機能に加えて第２のスルーホールからの抜け止め機能を兼ねさせることが可能となる。
【発明の効果】
【００１４】
（１）部品保持用の第１および第２のスルーホールと、前記第１および第２のスルーホールの位置と直線上の位置に設けられた回路接続用の第３のスルーホール群とを有し、第１のスルーホールが第３のスルーホール群に近い側、第２のスルーホールが第３のスルーホール群から遠い側である回路基板上に実装される回路接続用部品であって、第１のスルーホールに嵌合される第１のボスであり、第１のスルーホールの中心と第２のスルーホールの中心とを結ぶ方向の両側に突設され、第１のスルーホールの中心と第２のスルーホールの中心とを結ぶ方向の位置を規制する第１の突部を有する第１のボスと、第２のスルーホールに嵌合される第２のボスであり、第１のスルーホールの中心と第２のスルーホールの中心とを結ぶ方向と９０°異なる方向の両側に突設され、第１のスルーホールの中心と第２のスルーホールの中心とを結ぶ方向と９０°異なる方向の位置を規制する第２の突部と、第２の突部と９０°異なる方向に設けられ、第２のスルーホールに係止される第２の係止部であり、第２のスルーホールへの挿入時には弾性変形して第２のスルーホール内を通過し、第２のスルーホールを通過後に復元する第２の係止部とを有する第２のボスと、第３のスルーホール群に圧入嵌合される弾性接触端子群とを含む回路接続用部品によれば、回路接続用部品が熱膨張した際に第３のスルーホールに対応する位置の変化を少なくすることができるので、第３のスルーホール群に圧入嵌合される弾性接触端子群に加わる力を少なくすることができ、弾性接触端子群の破損を防止することが可能となる。また、第２のボスにおける第２の突部と第１のボスにおける第１の突部とで異なる方向の位置が規制されることにより、回路接続用部品の位置決めを行うことができ、弾性接触端子群の振動を防止することが可能となる。
【００１５】
（２）第１のボスが、第１のスルーホールに係止される第１の係止部であり、第１のスルーホールへの挿入時には弾性変形して第１のスルーホール内を通過し、第１のスルーホールを通過後に復元する第１の係止部を、第１の突部と９０°異なる方向に有するものであることにより、第１のボスに位置規制機能に加えて第１のスルーホールからの抜け止め機能を兼ねさせて、回路接続用部品が回路基板から脱落するのを防止することが可能となる。
【００１６】
（３）第２のボスが、第２のスルーホールに係止される第２の係止部であり、第２のスルーホールへの挿入時には弾性変形して第２のスルーホール内を通過し、第２のスルーホールを通過後に復元する第２の係止部を、第２の突部と９０°異なる方向に有するものであることにより、第２のボスに位置規制機能に加えて第２のスルーホールからの抜け止め機能を兼ねさせて、回路接続用部品が回路基板から脱落するのを防止することが可能となる。
【図面の簡単な説明】
【００１７】
【図１】本発明の実施の形態における回路基板上に実装された回路接続用部品を示す斜視図である。
【図２】図１の回路基板を下方からみた斜視図である。
【図３】図１のＡ矢視図である。
【図４】図１のＢ矢視図である。
【図５】図４の下面図である。
【図６】図５のＣ部拡大図である。
【図７】図５のＤ部拡大図である。
【図８】図３におけるボスのＥ−Ｅ断面の斜視図である。
【図９】回路基板上に実装される従来の電子部品を示す斜視図である。
【図１０】回路基板上に実装される従来の電気コネクタを示す正面図である。
【発明を実施するための形態】
【００１８】
図１は本発明の実施の形態における回路基板上に実装された回路接続用部品を示す斜視図、図２は図１の回路基板を下方からみた斜視図、図３は図１のＡ矢視図、図４は図１のＢ矢視図、図５は図４の下面図、図６は図５のＣ部拡大図、図７は図５のＤ部拡大図、図８は図３におけるボスのＥ−Ｅ断面の斜視図である。
【００１９】
図１〜図５に示すように、本発明の実施の形態における回路接続用部品１は、電子部品としてのコンデンサ３を収容して回路基板２の回路と接続するためのホルダーであり、回路基板２上に実装されるものである。回路基板２には、部品保持用の第１のスルーホール２ａおよび第２のスルーホール２ｂと、回路接続用の第３のスルーホール２ｃとが形成されている（図５参照。）。スルーホール２ａ〜２ｃは、いずれも円形状に形成されている。
【００２０】
第３のスルーホール２ｃは、コンデンサ３の端子側３ａの底面に対して平行に４つ並べて設けられている。第１のスルーホール２ａおよび第２のスルーホール２ｂは、４つの第３のスルーホール２ｃに対して垂直方向、すなわち回路接続用部品１の長手方向に並べて設けられている。第１のスルーホール２ａは第３のスルーホール２ｃに近い側、第２のスルーホール２ｂは第３のスルーホール２ｃから遠い側である。
【００２１】
回路接続用部品１は、第３のスルーホール２ｃに圧入嵌合される弾性接触端子１０と、第１のスルーホール２ａに嵌合される第１のボス１１と、第２のスルーホール２ｂに嵌合される第２のボス１２とを有する。
【００２２】
弾性接触端子１０は、弾性変形により回路接続用の第３のスルーホール２ｃに圧入嵌合され、第３のスルーホール２ｃの内面に電気的接触するプレスフィット端子やコンプライアント端子などである。
【００２３】
図６および図８に示すように、第１のボス１１は、第１のスルーホール２ａの中心と第２のスルーホール２ｂの中心とを結ぶ方向（図５、図６のＹ軸方向）の両側に突設された第１の突部２１ａ，２１ｂを有する。第１の突部２１ａ，２１ｂは、第１のスルーホール２ａ内における第１のボス１１のＹ軸方向の位置を規制する。本実施形態においては、第１の突部２１ａ，２１ｂは、円形状に形成された第１のスルーホール２ａの内面に沿って円弧状に形成された第１のボス１１の外面１１ａに対し、第１のボス１１の挿入方向（図３、図８のＺ軸方向）に延設されたリブであり、第１のボス１１が第１のスルーホール２ａ内に嵌合された際に潰れることで、第１のスルーホール２ａ内における第１のボス１１のＹ軸方向の位置を規制する。
【００２４】
また、第１のボス１１は、第１のスルーホール２ａに係止される第１の係止部３１ａ，３１ｂを第１の突部２１ａ，２１ｂとＺ軸周りに９０°異なる方向に有する。第１の係止部３１ａ，３１ｂは、第１のボス１１のＺ軸方向の先端部に支持され、後方に向かって第１のスルーホール２ａの内径よりも大きく拡がるアーム状であり、第１のスルーホール２ａへの挿入時には弾性変形して狭まり、第１のスルーホール２ａ内を通過する。そして、第１のスルーホール２ａを通過後、第１の係止部３１ａ，３１ｂは復元して第１のスルーホール２ａの内径よりも大きくなり、第１のスルーホール２ａから抜けなくなる。
【００２５】
図７に示すように、第２のボス１２は、第１のスルーホール２ａの中心と第２のスルーホール２ｂの中心とを結ぶ方向（図５のＹ軸方向）と異なる方向、すなわち、本実施形態においては第１の突部２１ａ，２１ｂと９０°異なる方向（図５のＸ軸方向）の両側に突設された第２の突部２２ａ，２２ｂを有する。第２の突部２２ａ，２２ｂは、第２のスルーホール２ｂ内における第２のボス１２のＸ軸方向の位置を規制する。第２の突部２２ａ，２２ｂは、第１の突部２１ａ，２１ｂと同様に、円形状に形成された第２のスルーホール２ｂの内面に沿って円弧状に形成された第２のボス１２の外面１２ａに対し、第２のボス１２の挿入方向（図３のＺ軸方向）に延設されたリブであり、第２のボス１２が第２のスルーホール２ｂ内に嵌合された際に潰れることで、第２のスルーホール２ｂ内における第２のボス１２のＸ軸方向の位置を規制する。
【００２６】
また、第２のボス１２は、第２のスルーホール２ｂに係止される第２の係止部３２ａ，３２ｂを第２の突部２２ａ，２２ｂとＺ軸周りに９０°異なる方向に有する。第２の係止部３２ａ，３２ｂは、第１の係止部３１ａ，３１ｂと同様に、第２のボス１２のＺ軸方向の先端部に支持され、後方に向かって第２のスルーホール２ｂの内径よりも大きく拡がるアーム状であり、第２のスルーホール２ｂへの挿入時には弾性変形して狭まり、第２のスルーホール２ｂ内を通過する。そして、第２のスルーホール２ｂを通過後、第２の係止部３２ａ，３２ｂは復元して第２のスルーホール２ｂの内径よりも大きくなり、第２のスルーホール２ｂから抜けなくなる。
【００２７】
上記構成の回路接続用部品１では、回路接続用の第３のスルーホール２ｃに近い側の第１のスルーホール２ａに嵌合される第１のボス１１の第１の突部２１ａ，２１ｂによりＹ軸方向の位置が規制される。そのため、回路接続用部品１が熱膨張した際に、第１のボス１１を中心としてＹ軸方向の両側に延びることになるが、この第１のボス１１から遠い第２のボス１２の位置の変化が大きく、第１のボス１１に近い弾性接触端子１０の位置の変化が少なくなるので、弾性接触端子１０の破損が防止される。
【００２８】
一方、第２のボス１２の第２の突部２２ａ，２２ｂはＹ軸方向と９０°異なるＸ軸方向の位置を規制するものであり、Ｙ軸方向に対しては弾性変形する第２の係止部３２ａ，３２ｂが設けられているため、熱膨張分の変化を第２のスルーホール２ｂ内で吸収する。また、この第２のボス１２の第２の突部２２ａ，２２ｂは、Ｙ軸方向と異なるＸ軸方向の位置を規制するため、第１のボス１１の第１の突部２１ａ，２１ｂと併せて回路接続用部品１の位置決めを行うことができ、弾性接触端子１０の振動を防止することができる。
【００２９】
特に、本実施形態においては、第２の突部２２ａ，２２ｂは、第１の突部２１ａ，２１ｂと９０°異なる方向に形成されたものであることから、第１のボス１１の第１の突部２１ａ，２１ｂにより規制される方向と９０°異なる方向の位置が第２のボス１２の第２の突部２２ａ，２２ｂにより規制され、第１および第２のボス１１，１２周りの全方向に対して均一に位置決めを行うことが可能となっている。なお、第２の突部２２ａ，２２ｂは、第１の突部２１ａ，２１ｂに対して９０°異なる方向に限らず、第１の突部２１ａ，２１ｂと異なる方向に設けた構成とすることも可能である。第２の突部２２ａ，２２ｂが第１の突部２１ａ，２１ｂと異なる方向であれば、互いに異なる２軸方向の位置決めを行うことが可能である。
【００３０】
また、本実施形態においては、第１および第２のボス１１，１２にそれぞれ第１および第２の係止部３１ａ，３１ｂ，３２ａ，３２ｂを設けて、第1および第２のボス１１，１２に位置規制機能に加えてそれぞれ第１および第２のスルーホール２ａ，２ｂからの抜け止め機能を兼ねさせて、回路接続用部品１が回路基板２から脱落するのを防止しているが、第１および第２のボス１１，１２からそれぞれ第１および第２の係止部３１ａ，３１ｂ，３２ａ，３２ｂを省略して、別の抜け止め構造を採用することも可能である。
【産業上の利用可能性】
【００３１】
本発明は、自動車の制御装置などに用いられるコンデンサなどの電子部品のホルダーなどの回路基板上に実装される回路接続用部品として有用である。
【符号の説明】
【００３２】
１  回路接続用部品
２  回路基板
２ａ，２ｂ，２ｃ  スルーホール
３  コンデンサ
１０  弾性接触端子
１１，１２  ボス
２１ａ，２１ｂ，２２ａ，２２ｂ  突部
３１ａ，３１ｂ，３２ａ，３２ｂ  係止部
【図１】
0006028788.tif 000002
【図２】
0006028788.tif 000003
【図３】
0006028788.tif 000004
【図４】
0006028788.tif 000005
【図５】
0006028788.tif 000006
【図６】
0006028788.tif 000007
【図７】
0006028788.tif 000008
【図８】
0006028788.tif 000009
【図９】
0006028788.tif 000010
【図１０】
0006028788.tif 000011